(57)【要約】【課題】ユーザの好みに応じてより快適にコンテンツの視聴を楽しむことができるようにする。【解決手段】画面１００の領域１０１は、ユーザが視聴中のコンテンツの画像が表示される領域とされる。領域１０２は、トピックスが表示される領域とされる。領域１０２の中のフィールド１０２ａ乃至フィールド１０２ｃに、それぞれトピックスが表示されており、受信された３つのチャネルのコンテンツのトピックスが表示されている。ユーザが視聴するコンテンツ（例えば、番組）の画像とともに、ユーザが視聴していないコンテンツに関する情報であって、例えば、ユーザが視聴していないコンテンツにおいて、現在放送されている内容をトピックスとして表示することが可能となる。【選択図】図３
2009004946.tif 000002
【特許請求の範囲】
【請求項１】
動画像の画像データを含むコンテンツを受信する受信手段と、
前記受信手段により受信されたコンテンツの動画像の中で所定の時間内の変化量が予め設定された基準より小さい静止領域を検出する静止領域検出手段と、
前記静止領域の画像データを抽出する抽出手段と、
前記抽出手段により抽出された前記画像データを、画面に表示させるための表示データを生成する表示データ生成手段と
を備える画像処理装置。
【請求項２】
前記受信手段とは異なるコンテンツを受信する他の受信手段をさらに備え、
前記表示データ生成手段は、
前記抽出手段により抽出された前記画像データの画像を、前記他の受信手段により受信されたコンテンツの動画像に重畳して表示させる表示データを生成する
請求項１に記載の画像処理装置。
【請求項３】
前記受信手段は、所定の時間間隔で、複数の前記コンテンツを順番に受信し、
前記静止領域検出手段は、前記受信手段が前記コンテンツを受信する都度、それぞれのコンテンツの動画像の中の前記静止領域を検出する
請求項２に記載の画像処理装置。
【請求項４】
前記静止領域検出手段により静止領域が複数検出された場合、
前記抽出手段は、前記コンテンツの動画像を構成する画素に対して予め設定された優先度に基づいて、前記静止領域検出手段により検出された複数の静止領域の中から１の前記静止領域を選択して抽出する
請求項１に記載の画像処理装置。
【請求項５】
前記抽出手段が画像データを抽出する領域がユーザにより設定される
請求項４に記載の画像処理装置。
【請求項６】
前記抽出手段により抽出された画像データに含まれる文字列を認識する文字列認識手段をさらに備え、
前記表示データ生成手段は、
前記文字列認識手段により認識された文字列を表示させるための表示データを生成する
請求項１に記載の画像処理装置。
【請求項７】
前記コンテンツは放送される番組であり、
前記受信手段が受信するコンテンツが、番組表に基づいて設定される
請求項１に記載の画像処理装置。
【請求項８】
動画像の画像データを含むコンテンツを受信し、
前記受信されたコンテンツの動画像の中で所定の時間内の変化量が予め設定された基準より小さい静止領域を検出し、
前記静止領域の画像データを抽出し、
前記抽出された前記画像データを、画面に表示させるための表示データを生成するステップ
を含む画像処理方法。
【請求項９】
コンピュータを、
動画像の画像データを含むコンテンツを受信する受信手段と、
前記受信手段により受信されたコンテンツの動画像の中で所定の時間内の変化量が予め設定された基準より小さい静止領域を検出する静止領域検出手段と、
前記静止領域の画像データを抽出する抽出手段と、
前記抽出手段により抽出された前記画像データを、画面に表示させるための表示データを生成する表示データ生成手段とを備える画像処理装置として機能させる
プログラム。
【請求項１０】
請求項９に記載のプログラムが記録されている記録媒体。
【発明の詳細な説明】
【技術分野】
【０００１】
本発明は、画像処理装置および方法、プログラム、並びに記録媒体に関し、特に、ユーザの好みに応じてより快適にコンテンツの視聴を楽しむことができるようにする画像処理装置および方法、プログラム、並びに記録媒体に関する。
【背景技術】
【０００２】
従来のデジタル放送では、現在放送されている番組名のリストなどを表示させることができるが、例えば、それらの番組において現在放送されるコーナー名など、番組内の情報をリアルタイムで知らせることはできない。
【０００３】
特にニュース番組や特定の看板コーナーを持つバラエティ番組などを視聴するユーザの中には、個々のトピックスやコーナーには興味があるが、その他は視聴する必要ないと思っているユーザも多い。ほとんどの番組においては現在放送しているコーナー名、内容、トピックス名などが画面上の上部などに常に表示されている。
【０００４】
また、放送されている画面をキャプチャし、キャプチャした画像データ文字列を認識して、その文字列に関連する情報をインターネット上から検索することも提案されている（例えば、特許文献１参照）。
【０００５】
【特許文献１】特開２００６−１９１４１３号公報
【発明の開示】
【発明が解決しようとする課題】
【０００６】
しかしながら、特許文献１の技術では、インターネット上にアクセスことは可能であるが、ユーザが視聴したいトピックスやコーナーが現在放送されていることを知らせることができない。
【０００７】
本発明はこのような状況に鑑みてなされたものであり、ユーザの好みに応じてより快適にコンテンツの視聴を楽しむことができるようにするものである。
【課題を解決するための手段】
【０００８】
本発明の一側面は、動画像の画像データを含むコンテンツを受信する受信手段と、前記受信手段により受信されたコンテンツの動画像の中で所定の時間内の変化量が予め設定された基準より小さい静止領域を検出する静止領域検出手段と、前記静止領域の画像データを抽出する抽出手段と、前記抽出手段により抽出された前記画像データを、画面に表示させるための表示データを生成する表示データ生成手段とを備える画像処理装置である。
【０００９】
前記受信手段とは異なるコンテンツを受信する他の受信手段をさらに備え、前記表示データ生成手段は、前記抽出手段により抽出された前記画像データの画像を、前記他の受信手段により受信されたコンテンツの動画像に重畳して表示させる表示データを生成するようにすることができる。
【００１０】
前記受信手段は、所定の時間間隔で、複数の前記コンテンツを順番に受信し、前記静止領域検出手段は、前記受信手段が前記コンテンツを受信する都度、それぞれのコンテンツの動画像の中の前記静止領域を検出するようにすることができる。
【００１１】
前記静止領域検出手段により静止領域が複数検出された場合、前記抽出手段は、前記コンテンツの動画像を構成する画素に対して予め設定された優先度に基づいて、前記静止領域検出手段により検出された複数の静止領域の中から１の前記静止領域を選択して抽出するようにすることができる。
【００１２】
前記抽出手段が画像データを抽出する領域がユーザにより設定されるようにすることができる。
【００１３】
前記抽出手段により抽出された画像データに含まれる文字列を認識する文字列認識手段をさらに備え、前記表示データ生成手段は、前記文字列認識手段により認識された文字列を表示させるための表示データを生成するようにすることができる。
【００１４】
前記コンテンツは放送される番組であり、前記受信手段が受信するコンテンツが、番組表に基づいて設定されるようにすることができる。
【００１５】
本発明の一側面は、動画像の画像データを含むコンテンツを受信し、前記受信されたコンテンツの動画像の中で所定の時間内の変化量が予め設定された基準より小さい静止領域を検出し、前記静止領域の画像データを抽出し、前記抽出された前記画像データを、画面に表示させるための表示データを生成するステップを含む画像処理方法である。
【００１６】
本発明の一側面は、コンピュータを、動画像の画像データを含むコンテンツを受信する受信手段と、前記受信手段により受信されたコンテンツの動画像の中で所定の時間内の変化量が予め設定された基準より小さい静止領域を検出する静止領域検出手段と、前記静止領域の画像データを抽出する抽出手段と、前記抽出手段により抽出された前記画像データを、画面に表示させるための表示データを生成する表示データ生成手段とを備える画像処理装置として機能させるプログラムである。
【００１７】
本発明の一側面においては、動画像の画像データを含むコンテンツが受信され、前記受信されたコンテンツの動画像の中で所定の時間内の変化量が予め設定された基準より小さい静止領域が検出され、前記静止領域の画像データが抽出され、前記抽出された前記画像データを、画面に表示させるための表示データが生成される。
【発明の効果】
【００１８】
本発明によれば、ユーザの好みに応じてより快適にコンテンツの視聴を楽しむことができる。
【発明を実施するための最良の形態】
【００１９】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の画像処理装置は、動画像の画像データを含むコンテンツを受信する受信手段（例えば、図１のチューナ２２−２）と、前記受信手段により受信されたコンテンツの動画像の中で所定の時間内の変化量が予め設定された基準より小さい静止領域を検出する静止領域検出手段（例えば、図５のステップＳ１３の処理を実行する図１の静止部分検出部３１）と、前記静止領域の画像データを抽出する抽出手段（例えば、図５のステップＳ１５の処理を実行する図１の静止部分検出部３１）と、前記抽出手段により抽出された前記画像データを、画面に表示させるための表示データを生成する表示データ生成手段（例えば、図１のリスト生成部３４）とを備える。
【００２１】
この画像処理装置は、前記受信手段とは異なるコンテンツを受信する他の受信手段（例えば、図１のチューナ２２−１）をさらに備え、前記表示データ生成手段は、前記抽出手段により抽出された前記画像データの画像を、前記他の受信手段により受信されたコンテンツの動画像に重畳して表示させる表示データを生成するようにすることができる。
【００２２】
この画像処理装置は、前記抽出手段により抽出された画像データに含まれる文字列を認識する文字列認識手段（例えば、図１の文字列認識部３３）をさらに備え、前記表示データ生成手段は、前記文字列認識手段により認識された文字列を表示させるための表示データを生成するようにすることができる。
【００２３】
本発明の一側面の画像処理方法は、動画像の画像データを含むコンテンツを受信し（例えば、図５のステップＳ１１の処理）、前記受信されたコンテンツの動画像の中で所定の時間内の変化量が予め設定された基準より小さい静止領域を検出し（例えば、図５のステップＳ１３の処理）、前記静止領域の画像データを抽出し（例えば、図５のステップＳ１５の処理）、前記抽出された前記画像データを、画面に表示させるための表示データを生成する（例えば、図５のステップＳ１７の処理）ステップを含む。
【００２４】
以下、図面を参照して、本発明の実施の形態について説明する。
【００２５】
図１は、本発明の一実施の形態に係る表示装置の構成例を示すブロック図である。
【００２６】
この表示装置１０は、例えば、放送されたコンテンツのデータを受信してコンテンツの画像を表示し、必要に応じてコンテンツの音声を出力するようになされており、例えば、HDD（Hard Disk Drive）レコーダとして構成される。表示装置１０は、ユーザが視聴するコンテンツ（例えば、番組）の画像とともに、ユーザが視聴していないコンテンツに関する情報であって、例えば、ユーザが視聴していないコンテンツにおいて、現在放送されている内容をトピックスとして表示することが可能となるように構成されている。
【００２７】
放送されたコンテンツのデータは、アンテナ２１を介してチューナ２２−１とチューナ２２−２により受信される。チューナ２２−１とチューナ２２−２は、それぞれデコーダなどを有する構成とされ、受信したコンテンツのデータであって、例えば、MPEG（Moving Picture Experts Group）方式などによりエンコードされたコンテンツのデータをデコードするようになされている。
【００２８】
チューナ２２−１は、例えば、ユーザが視聴するコンテンツを受信するようになされており、チューナ２２−１により受信されたコンテンツの画像は、ディスプレイ４１に表示される。
【００２９】
チューナ２２−２は、例えば、ユーザが視聴するコンテンツとは異なるコンテンツであって、例えば、予め設定された複数のチャネルでそれぞれ放送されているコンテンツを、所定の時間間隔で順番に受信するようになされている。
【００３０】
チューナ２２−２により受信されたコンテンツの画像は、キャプチャ部２３に出力される。キャプチャ部２３は、チューナ２２−２が出力する動画像としてのコンテンツの画像から、例えば、１フレーム分のIピクチャの画像を静止画像としてキャプチャする。
【００３１】
キャプチャ部２３によりキャプチャされた静止画像は、例えば、チューナ２２−２が受信したチャネル、コンテンツ名などを特定する情報と対応付けられてメモリ２４に記憶されるようになされている。
【００３２】
上述したように、チューナ２２−２は、複数のチャネルでそれぞれ放送されているコンテンツを、所定の時間間隔で順番に受信するので、メモリ２４には、例えば、チャネル毎に複数の静止画像が記憶される。また、メモリ２４は、それぞれのチャネルに対応する静止画像として、時間的に前に受信されたデータに基づく静止画像と、時間的に後に受信されたデータに基づく静止画像の、少なくとも２枚の静止画像のデータを記憶するようになされている。
【００３３】
静止部分検出部３１は、メモリ２４に記憶されている静止画像において、動きの少ない部分を静止部分として検出する。静止部分検出部３１は、例えば、メモリ２４に記憶された、それぞれのチャネルに対応する、時間的に前に受信されたデータに基づく静止画像と、時間的に後に受信されたデータに基づく静止画像との差分を演算することにより、動きの少ない部分を検出するようになされている。
【００３４】
具体的には、例えば、静止部分検出部３１が静止画像を、予め設定された所定数の画素により構成される領域に分割し、それぞれの領域毎に、時間的に前に受信されたデータに基づく静止画像と、時間的に後に受信されたデータに基づく静止画像とにおいて画素値の差分を演算する。そして、例えば、演算された差分を正規化するなどして所定の閾値などと比較し、閾値以下の差分が得られた領域が静止部分として検出されるようになされている。
【００３５】
また、静止部分検出部３１は、静止部分が複数検出された場合、優先度DB（データベース）３２に記憶されている情報に基づいて、１つの静止部分を選択するようになされている。
【００３６】
例えば、キャプチャ部２３によりキャプチャされ、メモリ２４に記憶された所定のチャネルの静止画像が、図２に示される画像８０であったものとする。同図は、ディスプレイ４１に表示された状態のコンテンツの画像の例であり、この例では、ディスプレイ４１の中央に猫の画像が表示されている。また、この例では、画像８０が、図中垂直方向に４、水平方向に５の２０（＝４×５）の領域に分割されている。そして、静止部分検出部３１により検出された静止部分が領域９１乃至領域９４であったものとする。
【００３７】
優先度DB３２には、例えば、領域のそれぞれに対応する優先度が数値として記憶されている。図２の例では、領域９１の優先度は「１００」、領域９２の優先度は「８０」、領域９３の優先度は「７０」、領域９４の優先度は「５０」とされている。静止部分検出部３１は、今の場合、複数の静止部分（領域９１乃至領域９４）の中から優先度が最も高い領域９１を選択することになる。静止部分検出部３１は、選択した静止部分の画像データを、チャネル、コンテンツ名などを特定する情報と対応付けて文字列認識部３３に出力するようになされている。
【００３８】
なお、画像８０における各領域の優先度は、装置の製造時などに予め設定されているようにしてもよいし、ユーザにより設定されるようにしてもよい。
【００３９】
例えば、バラエティ番組などのコンテンツは、時間毎にゲストの紹介のコーナー、クイズのコーナー、歌のコーナーなどに別れて構成されており、ほとんどのバラエティ番組においては現在放送しているコーナー名などが画面の上部、下部などに常に表示されている。また、同様に、ニュース番組などのコンテンツは、現在放送している事件などの内容が画面の上部、下部などに常に表示されていることが多い。従って、画面の中で動きの少ない部分であって、画面の上下の所定の部分（例えば、図２の領域９１乃至領域９４）の画像を検出（抽出）すれば、その部分にコーナー名や事件の内容などが表示されている可能性が高いと考えられる。
【００４０】
図１に戻って、文字列認識部３３は、静止部分検出部３１から出力された、静止部分（例えば、図２の領域９１を構成する部分）の画像データを取得し、その画像データに含まれる文字の抽出と認識とを行うようになされている。なお、文字の抽出と認識は、従来より知られている文字認識の技術を利用することができる。文字列認識部３３は、静止部分の画像データにおいて認識された文字列を、チャネル、コンテンツ名などを特定する情報と対応付けて、例えば、テキストデータとしてリスト生成部３４に供給するようになされている。
【００４１】
なお、文字列認識部３３が設けられないようにしてもよい。この場合、図１において点線の矢印で示されているように、静止部分検出部３１から出力された、静止部分（例えば、図２の領域９１を構成する部分）の画像データが、チャネル、コンテンツ名などを特定する情報と対応付けられてリスト生成部３４に供給されることになる。
【００４２】
リスト生成部３４は、文字列認識部３３から供給されたテキストデータ、または静止部分検出部３１から供給された画像データを、そのチャネルのトピックスとして表示する表示データを生成し、チューナ２２−１が受信したコンテンツの画像に重畳してディスプレイ４１に表示させるようになされている。
【００４３】
これにより、例えば、図３に示される画面１００がディスプレイ４１に表示されている。
【００４４】
図３において、画面１００の領域１０１は、ユーザが視聴中のコンテンツの画像であって、チューナ２２−１により受信されたコンテンツの画像が表示される領域とされる。領域１０２は、上述したトピックスが表示される領域とされる。この例では、領域１０２の中のフィールド１０２ａ乃至フィールド１０２ｃに、それぞれトピックスが表示されており、チューナ２２−２により受信された３つのチャネルのコンテンツのトピックスが表示されている。
【００４５】
また、領域１０２のフィールド１０２ａ乃至フィールド１０２ｃの図中右側に、それぞれトピックスに対応するチャンネル、コンテンツ名などの情報が合わせて表示されるようにしてもよい。
【００４６】
領域１０２に表示させるトピックスの設定は、例えば、図４に示されるようなGUI（Graphical User Interface）に基づいて行われる。
【００４７】
図４に示される画面１５０は、例えば、EPG（Electric Program Guide）など番組表に基づいて生成されたGUIとされ、図中の領域１５１は、例えば、チャネル名（放送局など）が表示される領域とされる。領域１５２は、領域１５１のそれぞれチャネルで放送されるコンテンツ名などが表示される領域とされる。領域１５３は、例えば、ユーザにジャンルを選択させるために、ジャンル名を表示する領域とされる。領域１５４は、ユーザにトピックスの設定を認識させるための情報を表示する領域とされる。
【００４８】
例えば、所定のチャネル（放送局）で放送されるコンテンツのトピックスを常に表示させたい場合、画面１５０の領域１５１の中から所定のチャネル名を選択する。チャネル名の選択は、例えば、図示せぬリモコンなどを操作することで、領域１５１の中から所定のチャネル名にカーソルを合わせて所定のボタンを押下することなどにより行われる。この例では、領域１５１の中でハッチングされて表示された「◎テレビ」が選択されたものとする。
【００４９】
例えば、所定のチャネルで所定の時間に放送されるコンテンツのトピックスを表示させたい場合、画面１５０の領域１５２の中から所定のコンテンツ名を選択する。コンテンツ名の選択は、例えば、図示せぬリモコンなどを操作することで、領域１５２の中から所定のコンテンツ名にカーソルを合わせて所定のボタンを押下することなどにより行われる。この例では、領域１５２の中でハッチングされて表示された「ニュースX」が選択されたものとする。
【００５０】
例えば、所定のジャンルに属するコンテンツのトピックスを常に表示させたい場合、画面１５０の領域１５３の中から所定のジャンル名を選択する。ジャンル名の選択は、例えば、図示せぬリモコンなどを操作することで、領域１５３の中から所定のジャンル名にカーソルを合わせて所定のボタンを押下することなどにより行われる。この例では、領域１５３の中でハッチングされて表示された「スポーツ」が選択されたものとする。
【００５１】
このような操作に対応して領域１５４には、トピックス取得番組として「◎テレビ」、「スポーツ」、および「ニュースX」が表示されることになる。すなわち、図３の画面１００の領域１０２には、常に「◎テレビ」において放送されるコンテンツのトピックスが表示され、ジャンル「スポーツ」に属する番組が放送されているときは、常にその番組のトピックスが表示され、「ニュースX」が放送されているときは、「ニュースX」のトピックスが表示されることになる。
【００５２】
このようにすることで、例えば、図３を参照して上述したように、ユーザが視聴するコンテンツ（例えば、番組）の画像とともに、ユーザが視聴していないコンテンツに関する情報であって、例えば、ユーザが視聴していないコンテンツにおいて、現在放送されている内容をトピックスとして表示することが可能となる。
【００５３】
次に、図５のフローチャートを参照して、表示装置１０によるトピックス抽出処理について説明する。この処理は、例えば、ユーザによりリモコンなどを介して、トピックスをディスプレイ４１に表示させる指令がなされたとき実行される。
【００５４】
ステップＳ１１において、チューナ２２−２は、例えば、図４を参照して上述したように、トピックスを表示させるべきコンテンツとして予め設定されたコンテンツを放送する複数のチャネルのうちの１のチャンネルのデータを受信する。
【００５５】
なお、上述したように、チューナ２２−１は、ユーザが視聴中のコンテンツであって、例えば、図３の領域１０１に表示されるコンテンツを放送するチャンネルのデータを受信しているものとする。
【００５６】
ステップＳ１２において、キャプチャ部２３は、チューナ２２−２が出力する動画像としてのコンテンツの画像から、例えば、１フレーム分のIピクチャの画像（画面）を静止画像としてキャプチャする。
【００５７】
このとき、キャプチャ部２３によりキャプチャされた静止画像は上述したように、例えば、チューナ２２−２が受信したチャネル、コンテンツ名などを特定する情報と対応付けられてメモリ２４に記憶される。また、メモリ２４は、そのチャネルに対応する静止画像として、時間的に前に受信されたデータに基づく静止画像と、時間的に後に受信されたデータに基づく静止画像の、少なくとも２枚の静止画像のデータを記憶するようになされている。
【００５８】
ステップＳ１３において、静止部分検出部３１は、メモリ２４に記憶されている静止画像において、動きの少ない部分を静止部分として検出する。このとき、静止部分検出部３１は上述したように、例えば、メモリ２４に記憶された、そのチャネルに対応する、時間的に前に受信されたデータに基づく静止画像と、時間的に後に受信されたデータに基づく静止画像との差分を演算することにより、動きの少ない部分を検出するようになされている。
【００５９】
ステップＳ１４において、静止部分検出部３１により動きの少ない部分が検出されたか否かが判定され、動きの少ない部分が検出されたと判定された場合、処理は、ステップＳ１５に進む。
【００６０】
ステップＳ１５において、静止部分検出部３１は、ステップＳ１３の処理で検出された動きの少ない部分（静止部分）が複数あった場合、優先度DB３２に記憶されている情報に基づいて、１つの静止部分を選択し、その静止部分を出力する。なお、ステップＳ１３の処理で検出された静止部分が１つであった場合、その静止部分が出力される。
【００６１】
ステップＳ１６において、文字列認識部３３は、静止部分検出部３１から出力された、静止部分の画像データを取得し、その画像データに含まれる文字の抽出と認識とを行う。このとき、文字列認識部３３は、静止部分の画像データにおいて認識された文字列を、チャネル、コンテンツ名などを特定する情報と対応付けて、例えば、テキストデータとしてリスト生成部３４に供給する。
【００６２】
なお、表示装置１０において文字列認識部３３が設けられていない場合、ステップＳ１６の処理はスキップされて、ステップＳ１５の処理で静止部分検出部３１により出力（抽出）された、静止部分の画像データが、チャネル、コンテンツ名などを特定する情報と対応付けられてリスト生成部３４に供給される。
【００６３】
ステップＳ１７において、リスト生成部３４は、文字列認識部３３から供給されたテキストデータ、または静止部分検出部３１から供給された画像データを、そのチャネルのトピックスとして、チューナ２２−１が受信したコンテンツの画像に重畳してディスプレイ４１に表示させるための表示データを生成する。これにより、例えば、図３の領域１０２においてフィールド１０２ａにトピックスが表示される。
【００６４】
ステップＳ１８において、チューナ２２−２は、次に受信すべきコンテンツを特定する。このとき、チューナ２２−２は、例えば、図４を参照して上述したように、トピックスを表示させるべきコンテンツとして予め設定されたコンテンツを放送する複数のチャネルのうちの次の１のチャンネルを特定する
【００６５】
ステップＳ１８の後、処理は、ステップＳ１１に戻り、チューナ２２−２は、トピックスを表示させるべきコンテンツとして予め設定されたコンテンツを放送する複数のチャネルのうちの次の１のチャンネルのデータを受信する。そして、ステップＳ１２乃至ステップS１８の処理が実行される。これにより、例えば、図３の領域１０２においてフィールド１０２ｂにトピックスが表示される。
【００６６】
このように、ステップＳ１１乃至ステップS１８の処理が繰り返し実行されて、領域１０２においてフィールド１０２ａ乃至フィールド１０２ｃにトピックスが表示され、そのトピックスの表示が更新されていくことになる。
【００６７】
なお、ステップＳ１４において、動きの少ない部分が検出されなかったと判定された場合、ステップＳ１５乃至ステップＳ１８の処理は、スキップされるので、この場合は、領域１０２における当該フィールドの表示が更新されないことになる。
【００６８】
このようにして、トピックス抽出処理が実行され、例えば、図３を参照して上述したように、ユーザが視聴するコンテンツ（例えば、番組）の画像とともに、ユーザが視聴していないコンテンツに関する情報であって、例えば、ユーザが視聴していないコンテンツにおいて、現在放送されている内容がトピックスとして表示される。このようにすることで、例えば、個々のトピックスやコーナーには興味があるが、その他は視聴する必要ないと思っているユーザに対しても有益な情報を提供することができる。
【００６９】
図３の領域１０２に表示されるトピックスは、現在放送されているコンテンツの内容に合わせて更新されていくので、ユーザは、例えば、裏番組の進行状況をリアルタイムで知ることが可能になる。ユーザは、チューナ２２−１により受信されているコンテンツの視聴を楽しみながら、裏番組の内容を知ることができる。
【００７０】
また、上述のトピックス抽出処理で抽出されたトピックスが番組表に重畳されて表示されるようにしてもよい。図６は、トピックスが重畳されて表示された番組表の例を示す図である。
【００７１】
同図は、現在放送されている番組の一覧を番組表として表示した場合の例であり、領域２０１、領域２０２、および領域２０３に、それぞれ現在放送されている番組に関する情報が表示されている。
【００７２】
領域２０１、領域２０２、および領域２０３のフィールド２０１Ａ、フィールド２０２Ａ、およびフィールド２０３Ａは、それぞれコンテンツを放送するチャンネルの情報を表示するフィールドであり、フィールド２０１Ｂ、フィールド２０２Ｂ、およびフィールド２０３Ｂは、それぞれ放送されているコンテンツの情報を表示するフィールドである。そして、静止部分検出部３１から供給された画像データが、そのコンテンツのトピックスとしてフィールド２０１Ｃ、フィールド２０２Ｃ、およびフィールド２０３Ｃに表示されている。
【００７３】
なお、同図においては、フィールド２０１Ｃ、フィールド２０２Ｃ、およびフィールド２０３Ｃに表示されている画像は、ほぼ１画面分の大きさの画像とされているが、実際には、上述したように、コンテンツの動画像の画面の中で動きの少ない部分のみが抽出されて表示されるようにしてもよい。勿論、ほぼ１画面分の大きさの画像が、番組表に重畳されて表示されるようにすることも可能である。
【００７４】
あるいはまた、文字列認識部３３から供給されたテキストデータが、フィールド２０１Ｂ、フィールド２０２Ｂ、またはフィールド２０３Ｂに表示されるようにしてもよい。この例では、フィールド２０２Ｂに、「世界のニュース」という文字列が、そのコンテンツのトピックスとして表示されている。
【００７５】
このように、トピックスが番組表に重畳されて表示されるようにすれば、ユーザは、各番組の進行状況を参考しながら、番組を選択して視聴することができる。
【００７６】
従って、本発明によれば、ユーザの好みに応じてより快適にテレビジョン放送を楽しむことができる。
【００７７】
さらに、本発明の表示装置１０においては、チューナ２２−１とチューナ２２−２を用いてユーザが視聴するコンテンツの画像とともに、ユーザが視聴していないコンテンツにおいて、現在放送されている内容がトピックスとして表示される構成を実現しているが、市場に流通しているHDDレコーダなどの多くは、チューナを２つ搭載しているものが多く、例えば、一般的なHDDレコーダの構成を大きく変更することなく、本発明の表示装置１０を実現することができる。すなわち、表示装置１０は、低コストでの製造が可能である。
【００７８】
以上においては、優先度DB３２には、例えば、図２に示される各領域のそれぞれに対応する優先度が数値として記憶されているものとして説明したが、ユーザが指定した領域と、その領域の優先度などが優先度DB３２に記憶されるようにしてもよい。
【００７９】
例えば、図７に示されるように画面８０において、ユーザが図示せぬリモコンなどを操作して領域９０Ａを、トピックスを抽出するための領域として指定するようにしてもよい。そして必要に応じて、領域９０Ｂも、トピックスを抽出するための領域として指定し、領域９０Ａと領域９０Ｂの画面内の位置および大きさ、並びにそれぞれの優先度が数値として優先度DB３２に記憶されるようにしてもよい。この例では、領域９０Aの優先度が「１００」に設定され、領域９０Bの優先度が「５０」に設定されている。さらに、このようなトピックスを抽出するための領域の指定が、例えば、チャネル毎、ジャンル毎、コンテンツ毎に行われて、それぞれチャネル名、ジャンル名、コンテンツ名に対応付けられて優先度DB３２に記憶されるようにしてもよい。
【００８０】
このようにすることで、より適切にトピックスを抽出して表示させることが可能となる。
【００８１】
以上においては、表示装置１０がデジタル放送を受信する場合を例として説明したが、アナログ放送を受信する場合であっても本発明を適用することが可能である。さらに、表示装置１０が、例えば、ネットワークを介してストリーミング配信されるコンテンツを受信する場合であっても本発明を適用することが可能である。
【００８２】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図８に示されるような汎用のパーソナルコンピュータ７００などに、ネットワークや記録媒体からインストールされる。
【００８３】
図８において、CPU（Central Processing Unit）７０１は、ROM（Read Only Memory）７０２に記憶されているプログラム、または記憶部７０８からRAM（Random Access Memory）７０３にロードされたプログラムに従って各種の処理を実行する。RAM７０３にはまた、CPU７０１が各種の処理を実行する上において必要なデータなども適宜記憶される。
【００８４】
CPU７０１、ROM７０２、およびRAM７０３は、バス７０４を介して相互に接続されている。このバス７０４にはまた、入出力インタフェース７０５も接続されている。
【００８５】
入出力インタフェース７０５には、キーボード、マウスなどよりなる入力部７０６、CRT(Cathode Ray Tube)、ＬＣＤ(Liquid Crystal display)などよりなるディスプレイ、並びにスピーカなどよりなる出力部７０７、ハードディスクなどより構成される記憶部７０８、モデム、LANカードなどのネットワークインタフェースカードなどより構成される通信部７０９が接続されている。通信部７０９は、インターネットを含むネットワークを介しての通信処理を行う。
【００８６】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【００８７】
上述した一連の処理をソフトウェアにより実行させる場合には、そのソフトウェアを構成するプログラムが、インターネットなどのネットワークや、リムーバブルメディア７１１などからなる記録媒体からインストールされる。
【００８８】
なお、この記録媒体は、図８に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているROM７０２や、記憶部７０８に含まれるハードディスクなどで構成されるものも含む。
【００８９】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【００９０】
【図１】本発明の一実施の形態に係る表示装置の構成例を示すブロック図である。
【図２】優先度設定の例を示す図である。
【図３】図１のディスプレイに表示される画面の例を示す図である。
【図４】トピックスの抽出の設定を行う画面の例を示す図である。
【図５】トピックス抽出処理の例を説明するフローチャートである。
【図６】トピックスを番組表に重畳して表示する場合の例を示す図である。
【図７】優先度設定の別の例を示す図である。
【図８】パーソナルコンピュータの構成例を示すブロック図である。
【符号の説明】
【００９１】
１０  表示装置，  ２２−１  チューナ，  ２２−２  チューナ，  ２３  キャプチャ部，  ２４  メモリ，  ３１  静止部分検出部，  ３２  優先度DB  ３３  文字列認識部，  ３４  リスト生成部，  ４１  ディスプレイ，  ７０１  ＣＰＵ，  ７１１  リムーバブルメディア
【図１】
2009004946.tif 000003
【図２】
2009004946.tif 000004
【図３】
2009004946.tif 000005
【図４】
2009004946.tif 000006
【図５】
2009004946.tif 000007
【図６】
2009004946.tif 000008
【図７】
2009004946.tif 000009
【図８】
2009004946.tif 000010